(57)【要約】【課題】容易に金網の交換ができ、金網に付着した匂いを除去することにより、捕獲が容易になる組立籠を提供する。【解決手段】立方体または直方体の本体枠２０と、前記本体枠に取り付けられる６枚の網状または柵状のパネル３０を有し、少なくとも１枚の前記パネルが開閉可能な扉である組立籠において、前記本体枠に取り付ける前記パネルを、前記本体枠に対して着脱可能に取り付けたので、前記パネルを容易に交換することができ、以前に捕獲・収容した動物のにおいが前記パネルに付着しているために、捕獲が困難になるのを回避することができる。【選択図】          図２
0003166156.tif 000002
【実用新案登録請求の範囲】
【請求項１】
立方体または直方体の本体枠と、
前記本体枠に取り付けられる６枚の網状または柵状のパネルを有し、少なくとも１枚の前記パネルが開閉可能な扉である組立籠であって、
前記６枚のパネルが、前記本体枠に着脱可能であることを特徴とする組立籠。
【請求項２】
前記本体枠が折り畳み可能であることを特徴とする請求項１に記載の組立籠。
【請求項３】
前記本体枠の折り畳みが、ＭＷ式であることを特徴とする請求項１または請求項２に記載の組立籠。
【請求項４】
本体枠を構成する前後方向、上下方向および左右方向に平行な４本セットの各部材のうち少なくとも１セットの４本が、軸方向へ伸縮可能であることを特徴とする請求項１ないし請求項３のいずれか１項に記載の組立籠。
【考案の詳細な説明】
【技術分野】
【０００１】
本考案は、動物を捕獲したり収容したりするための折り畳み可能な組立籠に関するものである。
【０００２】
従来より、折り畳むことができて、分解・組立が容易な籠が提案されている（例えば、特許文献１参照）。
図６に示すように、特許文献１に記載の籠１００は、金属籠胴部１０１、前面スライド枠１０２、前面金網１０３、背面スライド枠１０４、背面金網１０５を有する。
金属籠胴部１０１は、側面金網１０６Ａ、１０６Ｂ、上面金網１０７、底面金網１０８からなり、これらをらせん形状の結合部材１０９で縫合するように結合して、矩形箱状に形成している。
従って、側面金網１０６Ａ、１０６Ｂ、上面金網１０７、底面金網１０８は、相互に回転（折り畳み）可能となっている。
【０００３】
また、上面金網１０７および底面金網１０８は、幅方向中央において長手方向に沿って二分割されており、らせん形状の結合部材１１１を回転させて縫合するようにして連結されている。
従って、金属籠胴部１０１は、幅方向中央において折り畳み可能となっている。
【先行技術文献】
【特許文献】
【０００４】
【特許文献１】登録実用第３１５１２６０号公報（第１図）
【考案の概要】
【考案が解決しようとする課題】
【０００５】
しかしながら、このような籠においては、何度も使用すると、前に捕獲あるいは収容した動物の匂いが付着しており、次に捕獲に使用する際に、捕獲対象である動物が警戒して、捕獲が困難になるおそれがある。
このため、金網を交換して、匂いが付着していない金網を使用するのが望ましいが、前述した特許文献１に記載の籠１００は、容易に金網の交換ができないという問題があった。
【０００６】
そこで、本考案は、上記問題点に鑑みなされたものであって、容易に金網の交換ができ、金網に付着した匂いを除去することにより、捕獲が容易になる組立籠を提供するものである。
【課題を解決するための手段】
【０００７】
前記課題を解決するために、本考案である組立籠は、立方体または直方体の本体枠と、前記本体枠に取り付けられる６枚の網状または柵状のパネルを有し、少なくとも１枚の前記パネルが開閉可能な扉である組立籠であって、前記６枚のパネルが、前記本体枠に着脱可能である構成を有している。
【０００８】
この構成により、本体枠に取り付ける網状または柵状のパネルを、本体枠に対して着脱可能に取り付けたので、パネルを容易に交換することができ、以前に捕獲・収容した動物のにおいがパネルに付着しているために捕獲が困難になる事態を回避することができる。
【０００９】
また、本考案である組立籠は、前記本体枠が折り畳み可能である構成を有している。
【００１０】
この構成により、本体枠が折り畳み可能となっているので、取り外したパネルとともに、少ないスペースで、容易に運搬や保管ができる。
【００１１】
また、本考案である組立籠は、前記本体枠の折り畳みが、ＭＷ式である構成を有している。
【００１２】
この構成により、本体枠が、いわゆるＭＷ式で折り畳めるので、容易に運搬や保管ができる。
【００１３】
さらに、本考案である組立籠は、本体枠を構成する前後方向、上下方向および左右方向に平行な４本セットの各部材のうち少なくとも１セットの４本が、軸方向へ伸縮可能である構成を有している。
【００１４】
この構成により、本体枠を構成する前後方向、上下方向および左右方向に平行な４本セットの各部材のうち少なくとも１セットの４本が、軸方向へ伸縮可能であるので、少なくとも１方向の寸法をさらに小さくでき、一層小さなスペースで運搬や保管ができる。
【考案の効果】
【００１５】
本考案の組立籠によれば、パネルを容易に交換することができ、以前に捕獲・収容した動物のにおいがパネルに付着しているために、捕獲が困難になる事態を回避することができる。
【図面の簡単な説明】
【００１６】
【図１】本考案の組立籠の全体斜視図である。
【図２】本考案の組立籠の分解斜視図である。
【図３】（Ａ）は本体枠がＭＷ式で折り畳み可能となっている場合の構成図であり、（Ｂ）は本体枠が菱式で折り畳み可能となっている場合の構成図である。
【図４】左側面枠の伸縮を示す説明図である。
【図５】組立籠を分解・収納する状態を示す斜視図である。
【図６】従来の組立籠の斜視図である。
【考案を実施するための形態】
【００１７】
以下、図面を参照して本考案に係る実施形態の組立籠について詳細に説明する。
図１および図２に示すように、本考案の組立籠１０は、立方体または直方体の本体枠２０と、本体枠２０に取り付けられる６枚の網状または柵状のパネル３０（以後、各パネルの総称として使用する。）を有する。
なお、本体枠２０およびパネル３０は、捕獲対象あるいは収容対象である動物の警戒心を緩める観点から、黒色に塗装するのが望ましい。
【００１８】
本体枠２０は折り畳み可能となっている。
図３（Ａ）には、本体枠２０が、いわゆるＭＷ式で折り畳み可能となっている場合が示されている。また、図３（Ｂ）には、いわゆる菱式で折り畳み可能となっている場合が示されている。
【００１９】
図３（Ａ）に示すように、本体枠２０がＭＷ式で折り畳み可能である場合には、本体枠２０は、左右一対の矩形状の側面枠２０Ｌ、２０Ｒを有し、左右の側面枠２０Ｌ、２０Ｒを、上下の連結部材２５Ｕ、２５Ｄ、２６Ｕ、２６Ｄで連結している。本体枠２０は、Ｌ字断面の金属部材（アングル材）で構成することができる。
【００２０】
左側面枠２０Ｌは、左上フレーム２１Ｌ、左下フレーム２２Ｌ、左前フレーム２３Ｌ、左後フレーム２４Ｌによって矩形枠状に形成されている。
また、右側面枠２０Ｒは、右上フレーム２１Ｒ、右下フレーム２２Ｒ、右前フレーム２３Ｒ、右後フレーム２４Ｒによって矩形枠状に形成されている。
なお、各フレーム同士は、組立状態では、連結金具２８（図１参照）により直交性を保持して連結される。
【００２１】
上下の連結部材２５Ｕ、２５Ｄ、２６Ｕ、２６Ｄは、各々二分割されて、ヒンジで回転可能に連結されている。例えば、前部上側の連結部材２５Ｕは、連結部材２５１Ｕ、２５２Ｕに二分割されて、ヒンジ２５３Ｕで回転可能に連結されている。
なお、前部下側の連結部材２５Ｄ（２５１Ｄ、２５２Ｄ、２５３Ｄ）、後部上側の連結部材２６Ｕ（２６１Ｕ、２６２Ｕ、２６３Ｕ）、後部下側の連結部材２６Ｌ（２６１Ｄ、２６２Ｄ、２６３Ｄ）についても全く同様なので、説明を省略する。
【００２２】
これにより、本体枠２０を、いわゆるＭＷ式で左右方向に小さく折り畳むことができる。
【００２３】
また、図３（Ｂ）に示すように、本体枠２０Ｂを菱式で折り畳み可能に構成することもできる。
この場合には、左右の側面枠２０Ｌ、２０Ｒを連結する連結部材２５Ｕ、２５Ｄ、２６Ｕ、２６Ｄが、左右の側面枠２０Ｌ、２０Ｒに回転可能に取り付けられている。
このようにしても、本体枠２０Ｂを左右方向に小さく折り畳むことができるが、以下においては、ＭＷ式で折り畳み可能な場合について説明する。
【００２４】
さらに、図４に示すように、本体枠２０を構成する前後方向、上下方向および左右方向に平行な４本セットの各部材のうち少なくとも１セットの４本が、軸方向へ伸縮可能である。
【００２５】
図４には、左側面枠２０Ｌにおける伸縮状態のみ示してあり、右側面枠２０Ｒについては図示を省略している。
左側面枠２０Ｌにおいて前後方向に平行な部材（左上フレーム２１Ｌ、左下フレーム２２Ｌ）および上下方向に平行な部材（左前フレーム２３Ｌ、左後フレーム２４Ｌ）を、各々分割して軸方向に伸縮可能にした。
【００２６】
すなわち、左上フレーム２１Ｌを、大径（円径断面とは限らない。）の左上フレーム２１１Ｌと、小径の左上フレーム２１２Ｌに分割して、左上フレーム２１２Ｌを左上フレーム２１１Ｌに収納可能とした。他の部材についても同様に分割して収納可能とした。
【００２７】
また、右側面枠２０Ｒについても同様に、前後方向に平行な部材（右上フレーム２１Ｒ、右下フレーム２２Ｒ）および上下方向に平行な部材（右前フレーム２３Ｒ、右後フレーム２４Ｒ）を伸縮可能にした。
これにより、前後方向寸法および上下方向寸法を、略大径のフレーム２１１Ｌ、２３１Ｌの大きさまで小さくできる（図４中二点鎖線で表示）。
【００２８】
図１および図２に示すように、矩形の本体枠２０において、左側面枠２０Ｌには左側面パネル３１Ｌ、右側面枠２０Ｒには右側面パネル３１Ｒが取り付けられる。また、本体枠２０の上面には上面パネル３２が取り付けられ、本体枠２０の下面には下面パネル３３が取り付けられる。
なお、ここでは、後述するように、折り畳み性を考慮して、上面パネル３２および下面パネル３３を２分割した場合が示してある。
【００２９】
さらに、本体枠２０の後面には、後面パネル３４が取り付けられ、本体枠２０の前面には、前フレーム２３の前面にガイドフレーム２７を設けて、前面パネル３５が前扉として、上下にスライドすることにより開閉可能に配設されている。
【００３０】
図２における左側面パネル３１Ｌに代表して示すように、各パネル３０は、矩形の枠３０１と、この枠３０１に貼り付けられた柵部材３０２または金網部材（図示省略）により構成される。そして、枠３０１を左側面パネル３１Ｌにボルト・ナット３０３等の締結部材により、取り外し可能に取り付ける。
【００３１】
図５には、パネル３０を取り付けた状態で本体枠２０を折り畳んだ状態が示してある。
まず、前扉である前面パネル３５およびガイドフレーム２７を取り外すとともに、後面パネル３４を取り外す。
次いで、図３（Ａ）に示すように、前上連結部材２５Ｕおよび後上連結部材２６Ｕを各々ヒンジ２５３Ｕ、２６３Ｕにおいて下方へ折り曲げるとともに、前下連結部材２５Ｄおよび後下連結部材２６Ｄを各々ヒンジ２５３Ｄ、２６３Ｄにおいて上方へ折り曲げて、本体枠２０を折り畳む。
これにより、図５に示すように、本体枠２０を折り畳むことができる。
【００３２】
なお、図示はしないが、本体枠２０からボルト・ナット３０３を外してパネル３０を外し、本体枠２０を折り畳む（図３（Ａ）参照）とともに、図４に示すように伸縮させることにより、一層小さく分解することができる。
【００３３】
以上、説明した本考案に係る実施形態の組立籠１０によれば、本体枠２０に取り付ける網状または柵状のパネル３０を、本体枠２０に対して着脱可能に取り付けたので、パネル３０を容易に交換することができ、以前に捕獲・収容した動物の匂いがパネル３０に付着しているために、捕獲が困難になるのを回避することができる。
【００３４】
また、本体枠２０が折り畳み可能となっているので、取り外したパネル３０とともに、少ないスペースで、容易に運搬や保管ができる。
【００３５】
また、本体枠２０の折り畳みが、いわゆるＭＷ式であるので、容易に運搬や保管ができる。
【００３６】
さらに、本体枠２０を構成する前後方向、上下方向および左右方向に平行な４本セットの各部材のうち少なくとも１セットの４本を軸方向へ伸縮可能にしたので、一層小さなスペースで運搬や保管ができる。
【００３７】
以上、本考案の好ましい実施例について詳述したが、本考案に係る組立籠１０は上述した実施例に限定されるものではなく、実用新案登録請求の範囲に記載された本考案の要旨の範囲内において、種々の変形、変化が可能である。
例えば、前述した実施形態においては、パネル３０が柵状に形成されている場合について説明したが、金網を用いる場合も全く同様である。
【００３８】
また、前述した実施形態においては、本体枠２０を前後方向および上下方向に伸縮可能とした場合を例示したが、前後方向および上下方向のいずれか一方のみ伸縮可能とすることもできる。
【符号の説明】
【００３９】
１０      組立籠
２０      本体枠
３０      パネル
３１Ｌ      左側面パネル（パネル）
３１Ｒ      右側面パネル（パネル）
３２      上面パネル（パネル）
３３      下面パネル（パネル）
３４      後面パネル（パネル）
３５      前面パネル（パネル、扉）
【図１】
0003166156.tif 000003
【図２】
0003166156.tif 000004
【図３】
0003166156.tif 000005
【図４】
0003166156.tif 000006
【図５】
0003166156.tif 000007
【図６】
0003166156.tif 000008
【手続補正書】
【提出日】平成22年12月13日(2010.12.13)
【手続補正１】
【補正対象書類名】実用新案登録請求の範囲
【補正対象項目名】全文
【補正方法】変更
【補正の内容】
【実用新案登録請求の範囲】
【請求項１】
立方体または直方体に組まれた複数のフレームから構成される本体枠と、
前記本体枠の各フレームによって形成される各面に取り付けられる６枚の網状または柵状のパネルを有し、少なくとも１枚の前記パネルが開閉可能な扉である組立籠であって、
前記６枚のパネルが、前記本体枠に連結部材を介して着脱可能に取り付けられていることを特徴とする組立籠。
【請求項２】
前記フレームを他のフレームと連結部材を介して取り付け、又は/及び前記フレームの幾つかを中央に連結部材を有して構成し、
前記本体枠は、前記連結部材の回転によって、折り畳みがなされることを特徴とする請求項１に記載の組立籠。
【請求項３】
前記本体枠の各フレームによって形成される各面のうち、一対の互いに対向する面との間に配置されるフレームがその中央に連結部を有して構成され、
前記本体枠は、前記各連結部材が本体枠の内側に移動するように回転することによって、折り畳みがなされることを特徴とする請求項１または請求項２のいずれか１項に記載の組立籠。
【請求項４】
本体枠を構成する各フレームのうち前後方向、上下方向および左右方向に平行な４本セットの各部材のうち少なくとも１セットの４本が、それぞれ、分割されて構成されているとともに、一方の分割フレームが他方の分割フレームに対して軸方向にスライドできるように構成されて該軸方向へ伸縮可能としたことを特徴とする請求項１ないし請求項３のいずれか１項に記載の組立籠。